(57)【特許請求の範囲】
【請求項１】
果実とその先端の冠芽とからなる複数のパイナップルを、横に寝かせた状態で収容保持するパイナップルトレイと；このパイナップルトレイを収容する外箱と；を備えたパイナップル収容容器であって、
前記パイナップルトレイは、パイナップルの向きを交互に逆向きに収容する凹状の複数のパイナップル収容部を備え、該複数のパイナップル収容部の各々は、パイナップルの果実を収容する果実収容部の底部に、パイナップルの果実の一部を落とし込むためのパイナップル落とし込み部を有し、該パイナップル落とし込み部は、パイナップルの長手方向に切れ込む長手方向切り込みと、パイナップルの周方向に切れ込む周方向切り込みとを組合わせた切り込みで形成され、
前記パイナップル落とし込み部にパイナップルを落とし込んだ状態においても前記外箱がパイナップルと非接触となることを特徴とするパイナップル収容容器。
【発明の詳細な説明】
【技術分野】
【０００１】
本発明は、パイナップルを収容するパイナップル収容容器に係り、特にネット状の果実緩衝材を用いることなく、パイナップルを外箱内に安全に収容することができるパイナップル収容容器に関する。
【背景技術】
【０００２】
従来から、パイナップルを外箱内に収容する場合には、例えば、特開２００４−５１２０９「果物の保護キャップ装着装置」に示すように、パイナップルの果実にネット状の果実緩衝材を装着し、これを外箱内に、向きを交互に逆にして横に寝かせた状態で収容する方法が採られている。
【特許文献１】特開２００４−５１２０９公報
【発明の開示】
【発明が解決しようとする課題】
【０００３】
ネット状の果実緩衝材を用いる従来の方法の場合には、各パイナップルに１個ずつ果実緩衝材を装着しなければならないため、その作業が容易でないととともに、必ずしも充分な緩衝効果が得られないと云う問題がある。
【０００４】
すなわち、パイナップルを外箱内に収容して運搬する場合、最も負荷が掛かるのは、横に寝かせた状態における果実の底部であるが、ネット状の果実緩衝材の場合には、パイナップルのどの位置が下端に来るように外箱内に収容されるのか判らないので、果実緩衝材の一部の緩衝効果を特に高めて製造しておくことは不可能である。このため、各所一様の緩衝効果が得られるように果実緩衝材を製造せざるを得ないが、そうすると、過負荷が掛かる果実の底部に緩衝力不足が生じ、必ずしも充分な緩衝効果が得られないと云う問題がある。
【０００５】
本発明は、かかる現況に鑑みなされたもので、ネット状の果実緩衝材を用いることなく、しかも果実緩衝材を用いた以上の緩衝効果を得ることができ、物理的障害損失の発生を、大幅に低減することができるパイナップル収容容器を提供することを目的とする。
【０００６】
本発明の他の目的は、パイナップルの大きさが異なっていても、パイナップルを安定に収容部に収容保持することができ、非定型の果実の座りをよくして動きを制限することができるパイナップル収容容器を提供するにある。
【０００７】
本発明のさらに他の目的は、パイナップル落とし込み部自体に、果実緩衝材としての機能を持たせることができるパイナップル収容容器を提供するにある。
【課題を解決するための手段】
【０００８】
前記目的を達成するため本発明は、果実とその先端の冠芽とからなる複数のパイナップルを、横に寝かせた状態で収容保持するパイナップルトレイと；このパイナップルトレイを収容する外箱と；を備えたパイナップル収容容器であって、前記パイナップルトレイに、パイナップルの向きを交互に逆向きに収容する凹状の複数のパイナップル収容部を設け、各パイナップル収容部には、パイナップルの果実を収容する果実収容部の底部に、パイナップルの果実の一部を落とし込むためのパイナップル落とし込み部を設け、パイナップルを、パイナップル落とし込み部に落とし込まれた状態において、前記外箱と非接触となるようにしたことを特徴とする。
【０００９】
本発明はまた、パイナップル落とし込み部を、パイナップルの長手方向に長軸を有する楕円形，長円形または長方形等の孔で形成するようにしたことを特徴とする。
【００１０】
本発明はさらに、パイナップル落とし込み部を、パイナップルの長手方向に切れ込む長手方向切り込みと、パイナップルの周方向に切れ込む周方向切り込みとを組合わせた切り込みで形成するようにしたことを特徴とする。
【発明の効果】
【００１１】
本発明は、果実とその先端の冠芽とからなる複数のパイナップルを、横に寝かせた状態で収容保持するパイナップルトレイと；このパイナップルトレイを収容する外箱と；を備えたパイナップル収容容器であって、前記パイナップルトレイに、パイナップルの向きを交互に逆向きに収容する凹状の複数のパイナップル収容部を設け、各パイナップル収容部には、パイナップルの果実を収容する果実収容部の底部に、パイナップルの果実の一部を落とし込むためのパイナップル落とし込み部を設け、パイナップルを、パイナップル落とし込み部に落とし込まれた状態において、前記外箱と非接触となるようにしているので、ネット状の果実緩衝材を用いないことで、収容作業の大幅な省力化を図ることができるとともに、果実緩衝材を用いた以上の緩衝効果を得ることができ、物理的障害損失の発生を大幅に低減することができる。
【００１２】
本発明はまた、パイナップル落とし込み部を、パイナップルの長手方向に長軸を有する楕円形，長円形または長方形等の孔で形成するようにしているので、パイナップルの大きさが異なっていても、パイナップルを安定に収容部に収容保持することができ、非定型の果実の座りをよくして動きを制限することができる。
【００１３】
本発明はさらに、パイナップル落とし込み部を、パイナップルの長手方向に切れ込む長手方向切り込みと、パイナップルの周方向に切れ込む周方向切り込みとを組合わせた切り込みで形成するようにしているので、パイナップル落とし込み部自体に果実緩衝材としての機能を持たせることができる。
【発明を実施するための最良の形態】
【００１４】
以下、本発明を図面を参照して説明する。
図１ないし図３は、本発明の第１の実施の形態に係るパイナップル収容容器で用いられるパイナップルトレイを示すもので、このパイナップルトレイ１は、例えば６個のパイナップルを横に寝かせた状態で収容保持するようになっているとともに、パイナップルを収容保持したパイナップルトレイ１は、その状態で段ボール箱等の外箱（図示せず）内に収容されて、パイナップル収容容器を構成するようになっている。
【００１５】
前記パイナップルトレイ１には、図１ないし図３に示すように、例えばパイナップルの向きを交互に逆向きにして収容する凹状の６個のパイナップル収容部２が設けられており、各パイナップル収容部２は、果実を収容する果実収容部２ａと、冠芽を収容する冠芽収容部２ｂとから構成されている。
【００１６】
前記果実収容部２ａは、例えば収容すべきパイナップル果実の直径が９〜１５ｃｍの範囲であるとすると、凹状の曲率半径は、最大の１５ｃｍに合わせた寸法に設定されているとともに、長さ寸法も同様に設定されている。
【００１７】
また、前記果実収容部２ａの底部には、図１ないし図３に示すように、収容すべきパイナップル果実の一部を落とし込むためのパイナップル落とし込み部３が設けられており、このパイナップル落とし込み部３は、果実収容部２ａの長手方向に長軸を有する楕円形の孔で形成されている。
【００１８】
前記パイナップル落とし込み部３は、その長軸寸法が、果実収容部２ａの長さ寸法に対して１／３〜２／３程度に設定されており、また幅寸法も、果実収容部２ａの幅寸法に対して１／３〜２／３程度に設定されている。そしてこれにより、図４および図５に示すように、大径のパイナップル果実４であっても、また小径のパイナップル果実５であっても、その座りをよくして果実収容部２ａ内における動きを制限し、物理的傷害損失の発生を大幅に低減できるようになっている。
【００１９】
また、前記果実収容部２ａの底部の位置は、図５に示すように、パイナップルトレイ１の下端位置よりも例えば５ｍｍ程度高く設定されており、これにより、各パイナップル果実４，５がパイナップル落とし込み部３から外部に露出した場合であっても、この露出部分が、図示しない外箱と接触しないよう考慮されている。
【００２０】
しかして、果実収容部２ａの底部に、楕円形の孔で形成されるパイナップル落とし込み部３を設けるようにしているので、非定型のパイナップル果実４，５の座りがよくなって、その動きが制限され、これによって、パイナップル果実４，５に対する物理的傷害損失の発生を低減することができる。
【００２１】
また、パイナップル落とし込み部３を設けることで、パイナップル果実４，５の底部に掛かる過重負荷を、周辺の広い面積に拡散することができ、これによっても、パイナップル果実４，５に対する物理的傷害損失の発生を低減することができる。
【００２２】
なお、前記第１の実施の形態においては、パイナップル落とし込み部３が、果実収容部２ａの長手方向に長軸を有する楕円形の孔で形成される場合を例に採って説明したが、果実収容部２ａの長手方向に長軸を有する長円形の孔、あるいは長方形の孔であっても、同様の効果が期待できる。
【００２３】
図６は、本発明の第２の実施の形態を示すもので、前記第１の実施の形態におけるパイナップル落とし込み部３に代えて、パイナップル落とし込み部１３を用いるようにしたものである。
【００２４】
すなわち、前記パイナップル落とし込み部１３は、第６図に示すように、果実収容部２ａの長手方向に切れ込む長手方向切り込み１３ａと、果実収容部２ａの周方向に切れ込む周方向切り込み１３ｂとを組合わせた切り込みで形成されており、この切り込みで囲まれた部分は、パイナップル果実４，５（図４参照）を収容した際に下方に湾曲変形し、これにより、パイナップル果実４，５の一部がパイナップル落とし込み部１３に落とし込まれるようになっている。
なお、その他の点については、前記第１の実施の形態と同一構成となっており、作用も同一である。
【００２５】
しかして、本実施の形態に係るパイナップル落とし込み部１３を用いた場合であっても、前記第１の実施の形態と同様の効果が得られるとともに、パイナップル落とし込み部１３の切り込みで囲まれた部分が、パイナップル果実４，５の表面を覆うことになるので、パイナップル落とし込み部１３自体に、果実緩衝材としての機能を持たせることができる。
【実施例】
【００２６】
本発明者等は、図１および図２に示すパイナップルトレイ１を用い、従来のネット状の果実緩衝材を用いた場合との、物理的傷害損失の発生に関する比較実験を行なった。
その結果、パイナップル果実４，５に対する物理的傷害損失の発生を、従来の四分の一以下に低減できることが確認された。
【産業上の利用可能性】
【００２７】
以上のように、本発明に係るパイナップル収容容器は、ネット状の果実緩衝材を用いることなく、パイナップルを外箱内に安全に収容することができるパイナップル収容容器として有用であり、特に物理的傷害損失の発生を大幅に低減できるパイナップル収容容器として適している。
【図面の簡単な説明】
【００２８】
【図１】本発明の第１の実施の形態に係るパイナップル収容容器で用いられるパイナップルトレイを示す斜視図である。
【図２】図１のパイナップルトレイを絵画的に示す斜視図である。
【図３】図１の平面図である。
【図４】大径のパイナップル果実と小径のパイナップル果実とがパイナップル落とし込み部に落とし込まれている状態を示す部分破断斜視図である。
【図５】図４と同様の正面図である。
【図６】本発明の第２の実施の形態を示す図３相当図である。
【符号の説明】
【００２９】
１  パイナップルトレイ
２  パイナップル収容部
２ａ  果実収容部
２ｂ  冠芽収容部
３，１３  パイナップル落とし込み部
４，５  パイナップル果実
１３ａ  長手方向切り込み
１３ｂ  周方向切り込み
【図１】
0004664766.tif 000002
【図３】
0004664766.tif 000003
【図６】
0004664766.tif 000004
【図２】
0004664766.tif 000005
【図４】
0004664766.tif 000006
【図５】
0004664766.tif 000007